(57)【要約】【課題】電動送風機の能力を十分に発揮することのできる電気掃除機と集塵容器とを提供する。【解決手段】空気とともに塵埃を吸い込む吸込管５６と、この吸込管５６に対向する位置に配置され且つその吸込管５６から吸い込んだ空気および塵埃を分散させる分散部５７と、その分散方向にいくにしたがって断面積が広がるとともにその分散された塵埃と空気を分離する分離室部５２と、この分離室部５２の後壁５２Ｂに設けられるとともに電動送風機の吸気開口に連通した開口６０と、この開口６０に設けたフィルタと、分離室部５２で分離された塵埃を集塵する集塵室部５３とを備えている。【選択図】  図５
2005027880.tif 000002
【特許請求の範囲】
【請求項１】
空気とともに塵埃を吸い込む吸込口と、この吸込口に対向する位置に配置され且つその吸込口から吸い込んだ空気および塵埃を分散させる分散部と、その分散方向にいくにしたがって断面積が広がるとともにその分散された塵埃と空気を分離する分離室と、この分離室を形成する壁と、前記分離室の壁に設けられるとともに電動送風機の吸気開口に連通した開口と、この開口に設けたフィルタと、前記分離室で分離された塵埃を集塵する集塵部とを備えていることを特徴とする電気掃除機。
【請求項２】
前記壁に屈曲部を設け、この屈曲部より下流側の断面積を下流側に行くにしたがって広げ、前記屈曲部より下流側の壁に前記開口を設けたことを特徴とする請求項１に記載の電気掃除機。
【請求項３】
前記分散部は空気および塵埃を下方に向けて分散させ、
前記分離室は分散部の下に配置され、
前記集塵部は分離室の底部に設けたことを特徴とする請求項１または請求項２に記載の電気掃除機。
【請求項４】
前記分散部の前方に対向配置されるとともに前記吸込口を有する吸込管と、
この吸込管と前記分散部とを有する分散室部とを備え、
前記分離室がこの分散室部の下に連続形成され、
この分離室部は、下方に行くにしたがって後方へ後退するように傾斜した後壁と、この後壁の両側部に設けられるとともに下方に行くにしたがって相対向する離間距離が長くなる一対の側壁とを有し、
前記後壁と一対の側壁に前記開口をそれぞれ形成し、各開口の幅を下方にいくにしたがって大きくしたことを特徴とする請求項３に記載の電気掃除機。
【請求項５】
空気とともに塵埃を吸い込む吸込口を前側に設けた分散室部と、この分散室部の下に連続形成されるとともに塵埃と空気を分離する分離室部とを設けた集塵容器であって、
前記吸込口に対向する後部側の位置に配置され且つその吸込口から吸い込んだ空気および塵埃を下方へ分散させる分散部を前記分散室部内に設け、
前記分離室部は、下方に行くにしたがって後方へ後退するように傾斜した後壁と、この後壁の両側部に設けられるとともに下方に行くにしたがって相対向する離間距離が長くなる一対の側壁とを有し、
前記後壁と一対の側壁に電動送風機の吸気開口に連通する開口をそれぞれ形成するとともに、各開口にフィルタを設け、
前記分離室部で分離された塵埃を集塵する集塵部を分離室の底部に設けたことを特徴とする集塵容器。
【請求項６】
前記集塵部の底部に開閉可能な蓋を設けたことを特徴とする請求項５に記載の集塵容器。
【発明の詳細な説明】
【０００１】
【発明の属する技術分野】
この発明は、吸い込んだ空気と塵埃を分散させる分散部と、塵埃と空気とを分離する分離室とを有する電気掃除機と集塵容器とに関する。
【０００２】
【従来の技術】
従来から、図１２に示すサイクロン方式の電気掃除機が知られている（例えば特許文献１参照）。
【０００３】
かかる電気掃除機は、上部が開口されたダストカップ１と、このダストカップ１内を負圧にする電動送風機２等とを備えている。ダストカップ１の周壁１Ａには吸気口３が形成され、この吸気口３は塵埃を吸引する吸込口体４に吸気通路５を介して連通している。
【０００４】
そして、吸込口体４から吸引された塵埃は吸気通路５を介してダストカップ１の吸気口３からダストカップ１内に吸引される。このダストカップ１内では旋回流が発生して、塵埃と空気が分離され、空気のみがダストカップ１の上部開口から電動送風機２に吸引されて外部へ排気される。
【０００５】
この電気掃除機によれば、ダストカップ１内に塵埃が集塵されていくので、紙パックフィルタが不要となる。
【０００６】
【特許文献１】
特開２００１−１０４２２３号公報（段落３８，４５、図２）
【０００７】
【発明が解決しようとする課題】
しかしながら、このような電気掃除機にあっては、ダストカップ１内で旋回流を発生させて塵埃と空気とを分離させているので、その空気の風路損が大きくなってしまい、電動送風機の能力を十分に発揮することができないという問題があった。
【０００８】
この発明の目的は、電動送風機の能力を十分に発揮することのできる電気掃除機と集塵容器とを提供することにある。
【０００９】
【課題を解決するための手段】
上記目的を達成するため、請求項１の発明は、空気とともに塵埃を吸い込む吸込口と、この吸込口に対向する位置に配置され且つその吸込口から吸い込んだ空気および塵埃を分散させる分散部と、その分散方向にいくにしたがって断面積が広がるとともにその分散された塵埃と空気を分離する分離室と、この分離室を形成する壁と、前記分離室の壁に設けられるとともに電動送風機の吸気開口に連通した開口と、この開口に設けたフィルタと、前記分離室で分離された塵埃を集塵する集塵部とを備えていることを特徴とする。
【００１０】
請求項５の発明は、空気とともに塵埃を吸い込む吸込口を前側に設けた分散室部と、この分散室部の下に連続形成されるとともに塵埃と空気を分離する分離室部とを設けた集塵容器であって、
前記吸込口に対向する後部側の位置に配置され且つその吸込口から吸い込んだ空気および塵埃を下方へ分散させる分散部を前記分散室部内に設け、
前記分離室部は、下方に行くにしたがって後方へ後退するように傾斜した後壁と、この後壁の両側部に設けられるとともに下方に行くにしたがって相対向する離間距離が長くなる一対の側壁とを有し、
前記後壁と一対の側壁に電動送風機の吸気開口に連通する開口をそれぞれ形成するとともに、各開口にフィルタを設け、
前記分離室部で分離された塵埃を集塵する集塵部を分離室の底部に設けたことを特徴とする。
【００１１】
【実施の形態】
以下、この発明に係る電気掃除機の実施の形態を図面に基づいて説明する。
【００１２】
図１において、２０は掃除機本体であり、この掃除機本体２０にはホース２１の一端が着脱自在に接続され、その他端には手元操作管２２が設けられている。手元操作管２２には延長管２３が着脱自在に接続され、延長管２３の先端部には吸込口体２４が着脱自在に接続されている。手元操作管２２には操作部２２Ａが設けられており、この操作部２２Ａには図示しない操作スイッチが設けられている。
【００１３】
掃除機本体２０は、図２および図３に示すように、本体ケース３０と、本体ケース３０に着脱自在に載置される集塵容器（ダストカップ）５０と、後部が本体ケース３０にヒンジ結合されて上下方向に開閉可能となっている蓋体４０とを備えている。
【００１４】
本体ケース３０は、下部に形成されるとともにコードリールＣＲを収納したコードリール室３６と、このコードリール室３６の上に形成されるとともに電動送風機３３を内蔵した電動室３４とを有しており、コードリール室３６の前面には前方へ突出した皿状の載置部３５が設けられている。この載置部３５には集塵容器５０が着脱自在に載置され、蓋体４０を閉じた際にこの蓋体４０と載置部３５とで集塵容器５０を挟持して固定するようになっている。
【００１５】
また、本体ケース３０の電動室３４の前面は開口され、この開口３４Ａは電動送風機３３の吸気開口（吸気口）３３Ａに対向するとともに連通している。本体ケース３０の両側面には、複数の排気孔３８が形成されている。この排気孔３８は図示しない排気風路を介して電動送風機３３の排気口３３Ｂと連通しており、電動送風機３３の排気口３３Ｂから排気される空気は排気風路を介して排気孔３８から外へ排気されるようになっている。
【００１６】
蓋体４０には、集塵ホース２１を着脱自在に接続する接続口４３を前端に有する接続パイプ４４が設けられている。この接続パイプ４４は前後方向に延びており、その後端は開口４５Ａを有している。
【００１７】
集塵容器５０は、図４ないし図９に示すように、上部に形成された分散室部５１と、この分散室部５１の下に連続形成された分離室部（分離室）５２と、この分離室部５２の下に連続形成された集塵室部（集塵部）５３と、分離室部５２の後ろに区画形成されたフィルタ室部５５と、分離室部５２の前壁部５２Ａに一体形成された把手部５４等とを有している。
【００１８】
分散室部５１は、図５〜図７に示すように後面視がドーム状となっているドーム壁５１Ａで形成され、このドーム壁５１Ａの前壁部５１Ａａに設けられるとともに前後方向に延びた吸込管５６を有している。この吸込管５６の前端開口５６Ａが蓋体４０の接続パイプ４４の後端の開口４５Ａに接合するようになっており、吸込管５６の後端開口５６Ｂは吸込口となっている。
【００１９】
また、分散室部５１の後壁部すなわちドーム壁５１Ａの後壁部は、吸込管５６の後端開口５６Ｂの後方に対向配置された分散壁部（分散部）５７となっている。
【００２０】
この分散壁部５７は、図５に示すように、後方側（右側）が凸となるように湾曲した湾曲部５７Ａと、この湾曲部５７Ａの下部から後方に向けて斜め下方に傾斜した傾斜部５７Ｂとを有している。
【００２１】
分離室部５２は、分散部５７の下部から連続形成されるとともに傾斜部５７Ｂと同方向に斜め下方に傾斜した分離後壁部５２Ｂと、ドーム壁５１Ａの両側壁部５１Ａｃ，５１Ａｃの下部（Ｋ１）から屈曲して側方に広がりながら下方に延びるとともに分離後壁部（壁）５２Ｂの両側に形成された分離側壁部（壁）５２Ｃ，５２Ｃと、分散室部５１の前壁部５１Ａａの下部から下方に延びた前壁部５２Ａとを有している。分離側壁部５２Ｃ，５２Ｃは、下方に行くにしたがって相対向する離間距離が長くなっている。すなわち、分離室部５２の断面積（水平断面積：風路断面積）は下方に行くにしたがって大きくなっている。
【００２２】
分離後壁部５２Ｂおよび分離側壁部５２Ｃ，５２Ｃには、下方に行くにしたがって幅が広くなる開口６０，６１，６１がそれぞれ設けられている。各開口６０，６１，６１には桟６０Ｓ，６１Ｓ，６１Ｓが設けられており、その開口６０，６１，６１にネットフィルタ（フィルタ）Ｎ１，Ｎ２，Ｎ２（図１０および図１１参照）が貼り付けられている。
【００２３】
集塵室部５３の底部には、底板（開閉蓋）５３Ａが軸Ｊ回りに開閉可能に取り付けられており、この底板５３Ａを開けることにより集塵室部５３内に蓄積される塵埃が捨てられるようになっている。
【００２４】
フィルタ室部５５は、分散室部５１のドーム壁５１Ａの上部から後方に向かって斜め上方へ延びた天井壁部５５Ａと、この天井壁部５５Ａの両側部から下方に延びるとともに所定距離離間して分離室部５２の分離側壁部５２Ｃ，５２Ｃを覆う側室壁部５５Ｂ，５５Ｂとを有している。この側室壁部５５Ｂ，５５Ｂによって分離室部５２の分離側壁部５２Ｃ，５２Ｃの側方に所定の大きさの側室部６２，６２が形成されている。また、フィルタ室部５５の後部は開口され、この開口５５ＤにはプリーツフィルタＦが着脱可能に装着されている。
【００２５】
フィルタ室部５５の開口５５Ｄは、掃除機本体２０の載置部３５に集塵容器５０を載置することにより、本体ケース３０の電動室３４の開口３４Ａに接合されるようになっている。
【００２６】
そして、フィルタ室部５５内は分離後壁部５２Ｂの開口６０を介して分離室部５２内と連通している。また、フィルタ室部５５内は側室部６２，６２および側室壁部５５Ｂ，５５Ｂの開口６１，６１を介して連通している。
［動  作］
次に、上記のように構成される電気掃除機の動作について説明する。
【００２７】
先ず、図２および図３に示すように、集塵容器５０を本体ケース３０の載置部３５に載置して蓋体４０を閉じ、図１に示すようにホース２１を蓋体４０の接続口４３に接続する。そして、操作部２２Ａの図示しないスイッチを操作すると電動送風機３３が駆動される。この電動送風機３３の駆動により、本体ケース３０の開口３４Ａを介して集塵容器５０のフィルタ室５５が負圧となる。この負圧が分離後壁部５２Ｂの開口６０を介して、また側室部６２，６２および側室壁部５５Ｂ，５５Ｂの開口６１，６１を介して分離室部５２に作用し、さらにこの負圧が分散室部５１，吸込管５６，蓋体４０の接続パイプ４４，ホース２１，延長管２３および吸込口体２４に作用し、吸込口体２４から空気とともに塵埃が吸引されていく。
【００２８】
この吸引された塵埃および空気が延長管２３およびホース２１を介して蓋体４０の接続口４３へ吸引されていく。この接続口４３へ吸引された塵埃および空気は、蓋体４０の接続パイプ４４および集塵容器５０の吸込管５６、吸込口５６Ｂを通って集塵容器５０の分散室部５１内へ導入されていく。
【００２９】
吸込口５６Ｂから分散室部５１内へ導入された空気および塵埃はほぼ真っ直ぐに進み、その空気および塵埃が分散部５７に衝突したり分散部５７に案内されることにより、図１０および図１１の矢印Ｑ１，Ｑ２で示すように下方へ分散されていく。
【００３０】
この下方へ分散された空気および塵埃は、分離室部５２の分離後壁部５２Ｂや分離側壁部５２Ｃ，５２Ｃの開口６０，６１，６１のネットフィルタＮ１，Ｎ２，Ｎ２の表面に沿って下方へ流れていくとともに、空気はネットフィルタＮ１やネットフィルタＮ２および側室部６２，６２を介してフィルタ室部５５内へ吸引されていく。そして、ネットフィルタＮ１，Ｎ２，Ｎ２の表面に沿って流れる空気の流速は、ネットフィルタＮ１，Ｎ２，Ｎ２の上部付近では相当速くなっている。
【００３１】
このため、塵埃はその空気とともに相当速い速度でネットフィルタＮ１，Ｎ２，Ｎ２の表面に沿うとともに下方に向かって進んでいく。一方、空気はネットフィルタＮ１，Ｎ２，Ｎ２を介してフィルタ室部５５へ吸引されていき、さらに分離室部５２の風路断面積は下方にいくにしたがって大きくなっており、また、開口６０，６１，６１の幅が下方にいくにしたがって広くなっているので、ネットフィルタＮ１，Ｎ２，Ｎ２の表面に沿って流れる空気の流速はネットフィルタＮ１，Ｎ２，Ｎ２の下部に行くにしがって急速に遅くなっていく。しかし、下方に向かって進んでいる塵埃は慣性および重力によりそのまま集塵室部５３へ向かって進み、ネットフィルタＮ１，Ｎ２，Ｎ２の下部付近に付着することなく集塵室部５３へ蓄積されていく。
【００３２】
このように、空気および塵埃がネットフィルタＮ１，Ｎ２，Ｎ２の表面に沿って進みながら空気と塵埃が確実に分離されていくので、大きな風路損を発生させることなく塵埃を分離することができ、このため電動送風機３３の能力を十分に発揮することができる。
【００３３】
ところで、各ネットフィルタＮ１，Ｎ２，Ｎ２の上部付近を流れる空気の流速は速くなっているので、各ネットフィルタＮ１，Ｎ２，Ｎ２の上部付近に塵埃が付着してしまうことがなく、たとえ付着してもその塵埃は流速の速い空気によって剥がされていく。この剥がされた塵埃は下方に落下して集塵室部５３に蓄積されていく。
【００３４】
また、ネットフィルタＮ１，Ｎ２，Ｎ２の表面に沿って流れる空気の流速はネットフィルタＮ１，Ｎ２，Ｎ２の下部にいくにしたがっては急速に遅くなっていくので、集塵室部５３に蓄積された塵埃はその空気によって巻き上げられてしまうことはない。
【００３５】
フィルタ室部５５内へ吸引された空気はプリーツフィルタＦおよび本体ケース３０の開口３４Ａを介して電動送風機３３の吸気開口３３Ａへ吸引されていく。
【００３６】
上記実施形態では、分離室部５２は分散室部５１の下に配置され、分離室部５２の下に集塵室部５３が配置されているが、分散室部５１，分離室部５２，集塵室部５３をこの順序で水平方向に配置してもよい。また、分離室部５２の分離後壁部５２Ｂおよび分離側壁部５２Ｃ，５２Ｃに開口６０，６１，６１を設けたものについて説明したが、これら壁のいずれか１つに開口を設けたものであってもよい。
【００３７】
【発明の効果】
以上説明したように、この発明によれば、電動送風機の能力を十分に発揮することができる。
【図面の簡単な説明】
【図１】この発明に係る電機掃除機の外観を示した斜視図である。
【図２】図１に示す掃除機本体の蓋体を開けた状態を示した側面図である。
【図３】図１に示す電気掃除機の掃除機本体を示した側面図である。
【図４】集塵容器を示した斜視図である。
【図５】集塵容器の構成を示した縦断面図である。
【図６】集塵容器の構成を示した平断面図である。
【図７】集塵容器の背面図である。
【図８】集塵容器の開閉蓋を省略した底面図である。
【図９】集塵容器の後部からみた斜視図である。
【図１０】空気の流れを示した模式図である。
【図１１】空気の流れを示した他の模式図である。
【図１２】従来の電気掃除機の構成を示した説明図である。
【符号の説明】
３３                    電動送風機
３３Ａ                吸気開口（吸気口）
５０                    集塵容器
５２                    分離室部（分離室）
５３                    集塵室部（集塵部）
５６                    吸込管
５７                    分散部
【図１】
2005027880.tif 000003
【図２】
2005027880.tif 000004
【図３】
2005027880.tif 000005
【図４】
2005027880.tif 000006
【図５】
2005027880.tif 000007
【図６】
2005027880.tif 000008
【図７】
2005027880.tif 000009
【図８】
2005027880.tif 000010
【図９】
2005027880.tif 000011
【図１０】
2005027880.tif 000012
【図１１】
2005027880.tif 000013
【図１２】
2005027880.tif 000014